(57)【要約】  配管配置構造は、背面筐体と、背面筐体に取り付けられたカバーと、を備え、背面筐体は、背面筐体の表面から凹んで形成されて第１背面部を具備する第１凹部と、第１凹部に隣接して表面から凹んで形成されて第２背面部を具備する第２凹部と、を有し、第２背面部は、第１背面部よりも表面側に形成され、第１背面部と第２背面部との間には、段差部が形成される。
2019155616.tif 000002
【特許請求の範囲】
【請求項１】
背面筐体と、
前記背面筐体に取り付けられたカバーと、
を備え、
前記背面筐体は、前記背面筐体の表面から凹んで形成されて第１背面部を具備する第１凹部と、前記第１凹部に隣接して前記表面から凹んで形成されて第２背面部を具備する第２凹部と、を有し、
前記第２背面部は、前記第１背面部よりも前記表面側に形成され、
前記第１背面部と前記第２背面部との間には、段差部が形成される配管配置構造。
【請求項２】
前記カバーには、前記第１凹部及び前記第２凹部を覆って取り付けられた状態で、前記第１凹部内に突出するリブが設けられる請求項１に記載の配管配置構造。
【請求項３】
前記リブは、前記第１凹部に突出した突出部から繋がって前記第２凹部をまたぐ連結部を有する請求項２に記載の配管配置構造。
【請求項４】
前記リブの前記第１凹部に突出した突出部の中央部には、補強リブが設けられる請求項２又は３に記載の配管配置構造。
【請求項５】
前記リブは、並んで複数設けられる請求項２〜４のいずれか１項に記載の配管配置構造。
【請求項６】
前記第１凹部及び前記第２凹部は、配管収納空間であり、
前記リブは、前記配管収納空間に収納された配管の延出方向と交差する方向に一直線状に延びた板状体である請求項３〜５のいずれか１項に記載の配管配置構造。
【請求項７】
前記第１背面部及び前記第２背面部には、前記配管収納空間に収納された配管の延出方向と交差する方向に延びて形成された突条部が設けられる請求項６に記載の配管配置構造。
【請求項８】
前記第１背面部及び前記第２背面部の少なくとも一方では、弾性反発性の断熱体で覆われた配管が前記突条部に食い込む形状で収納される請求項７に記載の配管配置構造。
【請求項９】
前記第１凹部及び前記第２凹部の少なくとも一方では、弾性反発性の断熱体で覆われた配管が前記リブに食い込む形状で収納される請求項２〜８のいずれか１項に記載の配管配置構造。
【請求項１０】
前記リブは、前記第１凹部内に突出した突出部の角を面取りされる請求項２〜９のいずれか１項に記載の配管配置構造。
【請求項１１】
前記第１凹部及び前記第２凹部は、前記第１背面部と前記段差部と前記第２背面部とを繋いだ矩形空間である請求項１〜１０のいずれか１項に記載の配管配置構造。
【請求項１２】
請求項１〜１１のいずれか１項に記載の配管配置構造を備える空気調和装置の室内機。
【発明の詳細な説明】
【技術分野】
【０００１】
本発明は、配管を収納する背面筐体と、背面筐体に取り付けられたカバーと、を備えた配管配置構造及び空気調和装置の室内機に関する。
【背景技術】
【０００２】
従来、空気調和装置の室内機に形成された配管収納空間は、１つだけであった（たとえば、特許文献１参照）。
【先行技術文献】
【特許文献】
【０００３】
【特許文献１】特開２００５−１０６３９７号公報
【発明の概要】
【発明が解決しようとする課題】
【０００４】
特許文献１の技術では、能力帯あるいは冷媒の変更を行う場合に、室内機の配管収納空間に配置できる配管の仕様に制限があった。配管径が大きい場合には、配管が配管収納空間に収納できない。また、配管径が小さい場合には、配管収納空間に収納された配管の押さえが無く、据付時に配管が動いてしまい、配管のねじれなどを生じて配管潰れが発生する。【０００５】
本発明は、上記課題を解決するためのものであり、冷凍サイクル回路に用いられる１つ又は２つの配管数あるいは配管径によらず、配管を収納して固定できる配管配置構造及び空気調和装置の室内機を提供することを目的とする。
【課題を解決するための手段】
【０００６】
本発明に係る配管配置構造は、背面筐体と、前記背面筐体に取り付けられたカバーと、を備え、前記背面筐体は、前記背面筐体の表面から凹んで形成されて第１背面部を具備する第１凹部と、前記第１凹部に隣接して前記表面から凹んで形成されて第２背面部を具備する第２凹部と、を有し、前記第２背面部は、前記第１背面部よりも前記表面側に形成され、前記第１背面部と前記第２背面部との間には、段差部が形成されるものである。【０００７】
本発明に係る空気調和装置の室内機は、上記の配管配置構造を備えるものである。
【発明の効果】
【０００８】
本発明に係る配管配置構造及び空気調和装置の室内機によれば、背面筐体は、背面筐体の表面から凹んで形成されて第１背面部を具備する第１凹部と、第１凹部に隣接して表面から凹んで形成されて第２背面部を具備する第２凹部と、を有する。第２背面部は、第１背面部よりも表面側に形成される。第１背面部と第２背面部との間には、段差部が形成される。これにより、１つの配管収納空間である第１凹部と、１つの配管収納空間である第２凹部と、は、段差部によって仕切られている。したがって、冷凍サイクル回路に用いる１つ又は２つの配管数あるいは配管径によらず、配管収納空間が配管を収納して固定できる。
【図面の簡単な説明】
【０００９】
【図１】本発明の実施の形態１に係る空気調和装置を示す冷媒回路図である。
【図２】本発明の実施の形態１に係る空気調和装置の室内機を示す分解斜視図である。
【図３】本発明の実施の形態１に係る１つの集合配管を用いた空気調和装置の室内機の配管配置構造を拡大して示す拡大図である。
【図４】本発明の実施の形態１に係る空気調和装置の室内機の背面筐体を示す斜視図である。
【図５】本発明の実施の形態１に係る空気調和装置の室内機のモーター取付部品を正面側から見て示す斜視図である。
【図６】本発明の実施の形態１に係る空気調和装置の室内機のモーター取付部品を背面側から見て示す斜視図である。
【図７】本発明の実施の形態１に係る１つの集合配管を用いた空気調和装置の室内機の配管配置構造を示す横断面図である。
【図８】本発明の実施の形態１に係る１つの集合配管を用いた空気調和装置の室内機の配管を収納した状態を背面側から見て示す斜視図である。
【図９】本発明の実施の形態１に係る１つの集合配管を用いた空気調和装置の室内機の配管を引き出した状態を背面側から見て示す斜視図である。
【図１０】本発明の実施の形態１に係る２つの配管を用いた空気調和装置の室内機の配管配置構造を拡大して示す部分拡大図である。
【図１１】本発明の実施の形態１に係る２つの配管を用いた空気調和装置の室内機の配管配置構造を示す横断面図である。
【図１２】本発明の実施の形態１に係る２つの配管を用いた空気調和装置の室内機の配管を収納した状態を背面側から見て示す斜視図である。
【図１３】本発明の実施の形態１に係る２つの配管を用いた空気調和装置の室内機の配管を引き出した状態を背面側から見て示す斜視図である。
【発明を実施するための形態】
【００１０】
以下、図面に基づいて本発明の実施の形態について説明する。なお、各図において、同一の符号を付したものは、同一の又はこれに相当するものであり、これは明細書の全文において共通している。また、断面図の図面においては、視認性に鑑みて適宜ハッチングを省略している。さらに、明細書全文に示す構成要素の形態は、あくまで例示であってこれらの記載に限定されるものではない。
【００１１】
実施の形態１．
＜空気調和装置１００の構成＞
図１は、本発明の実施の形態１に係る空気調和装置１００を示す冷媒回路図である。図１に示す空気調和装置１００は、室外機１０１と室内機１０２とをガス冷媒配管１０３及び液冷媒配管１０４によって接続されている。
【００１２】
室外機１０１は、圧縮機１０５、四方弁１０６、室外熱交換器１０７及び膨張弁１０８を有する。
【００１３】
圧縮機１０５は、吸入した冷媒を圧縮して吐出する。圧縮機１０５は、たとえばインバータ回路などにより、運転周波数を任意に変化させ、圧縮機１０５の単位時間あたりの冷媒を送り出す容量を変化させてもよい。
【００１４】
四方弁１０６は、たとえば冷房運転時と暖房運転時とによって冷媒の流れを切り換える弁である。
【００１５】
室外熱交換器１０７は、冷媒と室外の空気との熱交換を行う。室外熱交換器１０７は、冷房運転時に凝縮器として機能し、冷媒を凝縮して液化させる。室外熱交換器１０７は、暖房運転時に蒸発器として機能し、冷媒を蒸発させ、気化させる。
【００１６】
膨張弁１０８は、流量制御弁であり、冷媒を減圧して膨張させる。膨張弁１０８は、たとえば電子式膨張弁などで構成された場合には、図示しない制御装置などの指示に基づいて開度調整を行える。
【００１７】
室内機１０２は、室内熱交換器１０９を有する。室内熱交換器１０９は、たとえば空調対象の空気と冷媒との熱交換を行う。室内熱交換器１０９は、冷房運転時に蒸発器として機能し、冷媒を蒸発させ、気化させる。室内熱交換器１０９は、暖房運転時に凝縮器として機能し、冷媒を凝縮して液化させる。
【００１８】
以上のように空気調和装置１００を構成することにより、室外機１０１の四方弁１０６によって冷媒の流れを切り換え、冷房運転又は暖房運転が実現できる。
【００１９】
＜空気調和装置１００の室内機１０２の構成＞
図２は、本発明の実施の形態１に係る空気調和装置１００の室内機１０２を示す分解斜視図である。図２に示すように、空気調和装置１００の外郭部品は、前面の意匠パネル１と、背面筐体２と、を備える。意匠パネル１と背面筐体２との間には、室内熱交換器１０９と、集合配管３と、カバーとしてのモーター取付部品４と、風向装置５と、電気品箱６と、が配置されている。
【００２０】
＜配管配置構造７の構成＞
図３は、本発明の実施の形態１に係る１つの集合配管３を用いた空気調和装置１００の室内機１０２の配管配置構造７を拡大して示す拡大図である。図３に示すように、空気調和装置１００の室内機１０２は、配管配置構造７を備える。配管配置構造７は、背面筐体２と、背面筐体２に取り付けられたモーター取付部品４と、を備える。配管配置構造７は、背面筐体２とモーター取付部品４との間に１つの集合配管３を挟持して固定している。背面筐体２及びモーター取付部品４は、樹脂製であり、均一な板厚に構成されている。
【００２１】
＜配管配置構造７における背面筐体２の構成＞
図４は、本発明の実施の形態１に係る空気調和装置１００の室内機１０２の背面筐体２を示す斜視図である。図４に示すように、背面筐体２は、第１凹部２１と、第２凹部２２と、を有する。第１凹部２１及び第２凹部２２は、それぞれ１つずつの配管を収納可能な矩形状の配管収納空間である。
【００２２】
第１凹部２１は、背面筐体２の表面から凹んで形成されて第１背面部２１ａを具備する。第１背面部２１ａは、平坦面である。第１背面部２１ａには、配管収納空間に収納された配管の延出方向である上下方向と交差する方向である水平方向に延びて形成された突条部２１ｂが設けられる。突条部２１ｂは、第１凹部２１に配置された図示しない配管が収納されてモーター取付部品４に押さえ付けられた際に、力がかかり過ぎないように配管表面に接触する面積を減らしている。
【００２３】
第２凹部２２は、第１凹部２１に隣接して背面筐体２の表面から凹んで形成されて第２背面部２２ａを具備する。第２背面部２２ａは、平坦面である。第２背面部２２ａには、配管収納空間に収納された配管の延出方向である上下方向と交差する方向である水平方向に延びて形成された突条部２２ｂが設けられる。突条部２２ｂは、第１凹部２１に配置された図示しない配管が収納されてモーター取付部品４に押さえ付けられた際に、力がかかり過ぎないように配管表面に接触する面積を減らしている。
【００２４】
第２背面部２２ａは、第１背面部２１ａよりも背面筐体２の表面側に形成されている。第１背面部２１ａと第２背面部２２ａとの間には、上下方向に延びて奥行方向に沿った平面部である段差部２３が形成されている。段差部２３は、配管収納空間である第１凹部２１及び第２凹部２２をそれぞれ配管が配置可能に仕切っている。段差部２３は、配管収納空間を仕切るため、１つの集合配管３が動くことが防止できる。第１凹部２１及び第２凹部２２は、第１背面部２１ａと段差部２３と第２背面部２２ａとを繋いだ矩形空間である。なお、実施の形態１では、第１凹部２１が室内熱交換器１０９側に配置され、第２凹部２２が第１凹部２１よりも室内熱交換器１０９から離れて形成されている。しかし、これに限られない。第２凹部２２が室内熱交換器１０９側に配置され、第１凹部２１が第２凹部２２よりも室内熱交換器１０９から離れて形成されてもよい。
【００２５】
＜配管配置構造７におけるモーター取付部品４の構成＞
図５は、本発明の実施の形態１に係る空気調和装置１００の室内機１０２のモーター取付部品４を正面側から見て示す斜視図である。図６は、本発明の実施の形態１に係る空気調和装置１００の室内機１０２のモーター取付部品４を背面側から見て示す斜視図である。
【００２６】
図５に示すように、背面筐体２の表面に取り付けられるモーター取付部品４が設けられる。モーター取付部品４には、空気調和装置１００の室内機１０２に必須の図示しないモータが取り付けられる。モーター取付部品４は、背面筐体２の表面に沿った同一の肉厚の板材である。
【００２７】
図６に示すように、モーター取付部品４の本体４１の背面側には、第１凹部２１及び第２凹部２２を覆って取り付けられた状態で、水平方向に延びて第１凹部２１内に突出するリブ４２が設けられる。リブ４２の第１凹部２１に突出した突出部４２ａは、第１凹部２１に収納された図示しない配管を押える。リブ４２の第１凹部２１に突出部４２ａは、モーター取付部品４の本体４１から背面側の第１凹部２１内まで突出している。リブ４２の第１凹部２１に突出部４２ａの中央部には、補強リブ４３が設けられる。リブ４２は、図示しない配管を押さえる際に背面筐体２の角に当たらないように作業性を考慮し、第１凹部２１内に突出部４２ａの角４２ｂを面取りされる。
【００２８】
リブ４２は、第１凹部２１に突出部４２ａから水平方向に繋がって第２凹部２２をまたぐ連結部４２ｃを有する。リブ４２の第２凹部２２をまたぐ連結部４２ｃは、第２凹部２２に収納された図示しない配管を押える。リブ４２の第２凹部２２をまたぐ連結部４２ｃは、モーター取付部品４の本体４１から背面側に突出している。なお、リブ４２は、第２凹部２２をまたぐ連結部４２ｃを第２凹部２２内に突出させてもよい。
【００２９】
リブ４２は、第１凹部２１に突出した突出部４２ａと、第２凹部２２をまたぐ連結部４２ｃと、を繋がって有する。このため、リブ４２は、配管収納空間に収納された配管の延出方向である上下方向と交差する方向である水平方向に一直線状に延びた板状体である。リブ４２は、前面側の本体４１から背面側に水平方向に延びて突出した板状体である。
【００３０】
リブ４２は、上下方向に間隔を空けて並んで４つ設けられている。モーター取付部品４が背面筐体２に取り付けられると、リブ４２は、図示しない配管を押さえ付けて固定する。
【００３１】
＜配管配置構造７での１つの集合配管３の配置状態＞
図７は、本発明の実施の形態１に係る１つの集合配管３を用いた空気調和装置１００の室内機１０２の配管配置構造７を示す横断面図である。図７に示すように、段差部２３によって配管収納空間が仕切られているため、集合配管３を１本だけ配置する場合には片方の第１凹部２１のみに集合配管３を収納できる。ここで、集合配管３は、たとえば内部にガス管３１と液管３２とを内蔵し、弾性反発性の断熱体３３に覆われた構造をしている。
【００３２】
ここで例示する第１凹部２１では、弾性反発性の断熱体３３で覆われた１つの集合配管３がリブ４２に食い込む形状で収納される。また、第１背面部２１ａでは、弾性反発性の断熱体３３で覆われた１つの集合配管３が突条部２１ｂに食い込む形状で収納される。
【００３３】
なお、後述するが、第２凹部２２でも、弾性反発性の断熱体３３で覆われた１つの集合配管３がリブ４２に食い込む形状で収納されてもよい。また、第２背面部２２ａでは、弾性反発性の断熱体３３で覆われた１つの集合配管３が突条部２２ｂに食い込む形状で収納されてもよい。
【００３４】
＜室内機１０２の集合配管３の配置状態＞
図８は、本発明の実施の形態１に係る１つの集合配管３を用いた空気調和装置１００の室内機１０２の集合配管３を収納した状態を背面側から見て示す斜視図である。図９は、本発明の実施の形態１に係る１つの集合配管３を用いた空気調和装置１００の室内機１０２の集合配管３を引き出した状態を背面側から見て示す斜視図である。
【００３５】
図８、図９に示すように、１つの集合配管３は、空気調和装置１００の室内機１０２の据付場所の制約によって引き出す方向が変わる。ここで、１つの集合配管３は、空気調和装置１００の室内機１０２の内部にて、背面筐体２とモーター取付部品４とによって第１凹部２１に収納されてリブ４２に押さえ付けられて固定されている。空気調和装置１００の室内機１０２の設置時に、１つの集合配管３が図８に示す右出し又は図９に示す後出しといった、収納時の位置から別の位置に引き出される場合がある。このとき、１つの集合配管３は、空気調和装置１００の室内機１０２の内部の上下方向に延びる部分が固定されているので、種々の引き出し作業の際に、１つの集合配管３が動き、折れたり捻じれたりすることが防止できる。このため、１つの集合配管３の折損又は捻じれによる冷媒漏れなどの不良の原因が抑制できる。
【００３６】
＜配管配置構造７での２つの配管配置状態＞
図１０は、本発明の実施の形態１に係る２つの配管３４、３５を用いた空気調和装置１００の室内機１０２の配管配置構造７を拡大して示す部分拡大図である。図１０に示すように、段差部２３によって配管収納空間が仕切られているため、配管３４、３５を２本配置する場合には第１凹部２１及び第２凹部２２のそれぞれに配管３４、３５を収納できる。ここで、２つの配管３４、３５うち一方の配管３４は、たとえば内部にガス管３６を内蔵し、弾性反発性の断熱体３３に覆われた構造をしている。また、２つの配管３４、３５うち他方の配管３５は、たとえば内部に液管３７を内蔵し、弾性反発性の断熱体３３に覆われた構造をしている。
【００３７】
＜配管配置構造７での２つの配管３４、３５の配置状態＞
図１１は、本発明の実施の形態１に係る２つの配管３４、３５を用いた空気調和装置１００の室内機１０２の配管配置構造７を示す横断面図である。
【００３８】
図１１に示すように、第１凹部２１では、弾性反発性の断熱体３３で覆われた１つの配管３４がリブ４２に食い込む形状で収納される。また、第１背面部２１ａでは、弾性反発性の断熱体３３で覆われた１つの配管３４が突条部２１ｂに食い込む形状で収納される。第１凹部２１には、空間領域が第２凹部２２よりも大きいので、液管３７を内蔵した配管３５よりも配管径の大きくなるガス管３６を内蔵した配管３４が配置されている。
【００３９】
第２凹部２２では、弾性反発性の断熱体３３で覆われた１つの配管３５がリブ４２に食い込む形状で収納される。第２凹部２２に配置される配管３５は、断熱体３３で覆われた外径を第２凹部２２の奥行よりも長くすることにより、第２凹部２２の表面側に飛び出し、飛び出した部分がリブ４２に食い込む。なお、リブ４２の第２凹部２２にまたがる連結部４２ｃが第２凹部２２内に突出している場合には、第２凹部２２に配置される配管３５が第２凹部２２の表面側に飛び出さなくても、配管３５がリブ４２に食い込める。また、第２背面部２２ａでは、弾性反発性の断熱体３３で覆われた１つの配管３５が突条部２２ｂに食い込む形状で収納される。
【００４０】
＜室内機１０２の２つの配管３４、３５の配置状態＞
図１２は、本発明の実施の形態１に係る２つの配管３４、３５を用いた空気調和装置１００の室内機１０２の配管３４、３５を収納した状態を背面側から見て示す斜視図である。図１３は、本発明の実施の形態１に係る２つの配管３４、３５を用いた空気調和装置１００の室内機１０２の配管３４、３５を引き出した状態を背面側から見て示す斜視図である。
【００４１】
図１２、図１３に示すように、２つの配管３４、３５は、空気調和装置１００の室内機１０２の据付場所の制約によって引き出す方向が変わる。ここで、２つの配管３４、３５は、空気調和装置１００の室内機１０２の内部にて、背面筐体２とモーター取付部品４とによって第１凹部２１及び第２凹部２２にそれぞれ収納されてリブ４２に押さえ付けられて固定されている。空気調和装置１００の室内機１０２の設置時に、２つの配管３４、３５が図１２に示す右出し又は図１３に示す後出しといった、収納時の位置から別の位置に引き出される場合がある。このとき、２つの配管３４、３５は、空気調和装置１００の室内機１０２の内部の上下方向に延びる部分が固定されているので、種々の引き出し作業の際に、２つの配管３４、３５が動き、折れたり捻じれたりすることが防止できる。このため、２つの配管３４、３５の折損又は捻じれによる冷媒漏れなどの不良の原因が抑制できる。
【００４２】
＜実施の形態１の効果＞
実施の形態１によれば、配管配置構造７は、背面筐体２を備える。配管配置構造７は、背面筐体２に取り付けられたカバーとしてのモーター取付部品４を備える。背面筐体２は、背面筐体２の表面から凹んで形成されて第１背面部２１ａを具備する第１凹部２１を有する。背面筐体２は、第１凹部２１に隣接して表面から凹んで形成されて第２背面部２２ａを具備する第２凹部２２を有する。第２背面部２２ａは、第１背面部２１ａよりも表面側に形成されている。第１背面部２１ａと第２背面部２２ａとの間には、段差部２３が形成されている。
【００４３】
この構成によれば、１つの配管収納空間である第１凹部２１と、１つの配管収納空間である第２凹部２２と、は、段差部２３によって仕切られている。よって、第１凹部２１及び第２凹部２２の少なくとも１つに、仕様の異なる配管３、３４、３５が収納されて固定できる。そのため、配管収納空間は、能力帯あるいは冷媒の変更による配管３、３４、３５の仕様の変更に柔軟に対応できる。したがって、冷凍サイクル回路に用いられる１つ又は２つの配管数あるいは配管径によらず、配管収納空間が配管３、３４、３５を収納して固定できる。また、２つの配管３４、３５が第１凹部２１及び第２凹部２２のそれぞれに配置される場合には、第１凹部２１及び第２凹部２２の奥行が異なるので、２つの配管３４、３５が奥行方向でずれて配置され、２つの配管３４、３５が互いに位置決めされる。
【００４４】
実施の形態１によれば、カバーとしてのモーター取付部品４には、第１凹部２１及び第２凹部２２を覆って取り付けられた状態で、第１凹部２１内に突出するリブ４２が設けられている。
【００４５】
この構成によれば、第１背面部２１ａが第２背面部２２ａよりも背面側に形成されるために、第１凹部２１に配管３、３４が収納された際に配管３、３４が第１凹部２１内で動くおそれが第１凹部２１内に突出するリブ４２によって防止できる。したがって、冷凍サイクル回路に用いられる第１凹部２１に収納される１つの配管３、３４が配管径によらず、第１凹部２１が配管３、３４を収納して固定できる。
【００４６】
実施の形態１によれば、リブ４２は、第１凹部２１に突出した突出部４２ａから繋がって第２凹部２２をまたぐ連結部４２ｃを有する。
【００４７】
この構成によれば、リブ４２は、第１凹部２１及び第２凹部２２に収納された背面筐体２の表面から異なる奥行に配置された２つの配管３４、３５を同時に押し付けられる。また、リブ４２は、第１凹部２１と第２凹部２２とに繋がっているため、簡素な構成で高い強度が保持できる。
【００４８】
実施の形態１によれば、リブ４２の第１凹部２１に突出部４２ａの中央部には、補強リブ４３が設けられている。
【００４９】
この構成によれば、リブ４２の第１凹部２１に突出部４２ａの面積が広く、リブ４２の第１凹部２１に突出部４２ａの強度が脆弱になるが、補強リブ４３が設けられることにより、リブ４２の強度が確保できる。
【００５０】
実施の形態１によれば、リブ４２は、並んで４つなどの複数設けられている。
【００５１】
この構成によれば、複数のリブ４２は、第１凹部２１及び第２凹部２２に収納された背面筐体２の表面から異なる奥行に配置された２つの配管３４、３５を複数か所にて同時に押し付けられる。これにより、配管３４、３５がより強固に固定できる。
【００５２】
実施の形態１によれば、第１凹部２１及び第２凹部２２は、配管収納空間である。リブ４２は、配管収納空間に収納された配管３、３４、３５の延出方向と交差する方向に一直線状に延びた板状体である。
【００５３】
この構成によれば、リブ４２は、簡素な構成で高い強度が保持できる。また、リブ４２は、配管収納空間に収納された配管３、３４、３５の延出方向と交差する方向に一直線状に延びた板状体である。このため、延出方向に動こうとする配管３、３４、３５が延出方向と交差する方向に延びたリブ４２でより強固に固定できる。
【００５４】
実施の形態１によれば、第１背面部２１ａ及び第２背面部２２ａには、配管収納空間に収納された配管３、３４、３５の延出方向と交差する方向に延びて形成された突条部２１ｂ、２２ｂが設けられている。
【００５５】
この構成によれば、突条部２１ｂ、２２ｂは、第１背面部２１ａ及び第２背面部２２ａの配管収納空間に収納された配管３、３４、３５の延出方向と交差する方向に延びて形成される。このため、延出方向に動こうとする配管３、３４、３５が延出方向と交差する方向に延びた突条部２１ｂ、２２ｂでより強固に固定できる。
【００５６】
実施の形態１によれば、第１背面部２１ａ及び第２背面部２２ａの少なくとも一方では、弾性反発性の断熱体３３で覆われた配管３、３４、３５が突条部２１ｂ、２２ｂに食い込む形状で収納される。
【００５７】
この構成によれば、突条部２１ｂ、２２ｂが弾性反発性の断熱体３３で覆われた配管３、３４、３５に食い込み、配管３、３４、３５がより強固に固定できる。
【００５８】
実施の形態１によれば、第１凹部２１及び第２凹部２２の少なくとも一方では、弾性反発性の断熱体３３で覆われた配管３、３４、３５がリブ４２に食い込む形状で収納される。
【００５９】
この構成によれば、リブ４２が弾性反発性の断熱体３３で覆われた配管３、３４、３５に食い込み、配管３、３４、３５がより強固に固定できる。
【００６０】
実施の形態１によれば、リブ４２は、第１凹部２１内に突出部４２ａの角４２ｂを面取りされる。
【００６１】
この構成によれば、突出部４２ａの角４２ｂを面取りされるリブ４２は、配管３、３４を収納した第１凹部２１内に挿入し易く、配管配置作業の効率が向上できる。
【００６２】
実施の形態１によれば、第１凹部２１及び第２凹部２２は、第１背面部２１ａと段差部２３と第２背面部２２ａとを繋いだ矩形空間である。
【００６３】
この構成によれば、第１凹部２１及び第２凹部２２は、円管状の配管３、３４、３５に対して隙間を有した矩形空間となる。このため、配管収納空間は、能力帯あるいは冷媒の変更による配管３、３４、３５の仕様の変更に柔軟に対応できる。したがって、冷凍サイクル回路に用いられる１つ又は２つの配管数あるいは配管径によらず、配管収納空間が配管３、３４、３５を収納して固定できる。
【００６４】
実施の形態１によれば、空気調和装置１００の室内機１０２は、配管配置構造７を備える。
【００６５】
この構成によれば、空気調和装置１００の室内機１０２が備える配管配置構造７では、１つの配管収納空間である第１凹部２１と、１つの配管収納空間である第２凹部２２と、は、段差部２３によって仕切られている。よって、第１凹部２１及び第２凹部２２の少なくとも１つに、仕様の異なる配管３、３４、３５が収納されて固定できる。そのため、配管収納空間は、能力帯あるいは冷媒の変更による配管３、３４、３５の仕様の変更に柔軟に対応できる。したがって、冷凍サイクル回路に用いられる１つ又は２つの配管数あるいは配管径によらず、配管収納空間が配管３、３４、３５を収納して固定できる。
【００６６】
＜その他＞
上述の実施の形態では、冷凍サイクル装置の例として空気調和装置１００について説明した。しかし、これに限定するものではない。たとえば、冷蔵装置又は冷凍装置など、他の冷凍サイクル装置にも適用できる。また、配管配置構造７は、冷凍サイクル装置だけでなく、送風機又は換気装置などにも適用できる。
【符号の説明】
【００６７】
１  意匠パネル、２  背面筐体、３  集合配管、４  モーター取付部品、５  風向装置、６  電気品箱、７  配管配置構造、２１  第１凹部、２１ａ  第１背面部、２１ｂ  突条部、２２  第２凹部、２２ａ  第２背面部、２２ｂ  突条部、２３  段差部、３１  ガス管、３２  液管、３３  断熱体、３４  配管、３５  配管、３６  ガス管、３７  液管、４１  本体、４２  リブ、４２ａ  突出部、４２ｂ  角、４２ｃ  連結部、４３  補強リブ、１００  空気調和装置、１０１  室外機、１０２  室内機、１０３  ガス冷媒配管、１０４  液冷媒配管、１０５  圧縮機、１０６  四方弁、１０７  室外熱交換器、１０８  膨張弁、１０９  室内熱交換器。
【図１】
2019155616.tif 000003
【図２】
2019155616.tif 000004
【図３】
2019155616.tif 000005
【図４】
2019155616.tif 000006
【図５】
2019155616.tif 000007
【図６】
2019155616.tif 000008
【図７】
2019155616.tif 000009
【図８】
2019155616.tif 000010
【図９】
2019155616.tif 000011
【図１０】
2019155616.tif 000012
【図１１】
2019155616.tif 000013
【図１２】
2019155616.tif 000014
【図１３】
2019155616.tif 000015
【手続補正書】
【提出日】令和2年5月13日(2020.5.13)
【手続補正１】
【補正対象書類名】明細書
【補正対象項目名】０００６
【補正方法】変更
【補正の内容】
【０００６】
本発明に係る配管配置構造は、背面筐体と、前記背面筐体に取り付けられたカバーと、を備え、前記背面筐体は、前記背面筐体の表面から凹んで形成されて第１背面部を具備する第１凹部と、前記第１凹部に隣接して前記表面から凹んで形成されて第２背面部を具備する第２凹部と、を有し、前記第２背面部は、前記第１背面部よりも前記表面側に形成され、前記第１背面部と前記第２背面部との間には、段差部が形成され、前記カバーには、前記第１凹部及び前記第２凹部を覆って取り付けられた状態で、前記第１凹部内に突出するリブが設けられるものである。
【手続補正２】
【補正対象書類名】特許請求の範囲
【補正対象項目名】全文
【補正方法】変更
【補正の内容】
【特許請求の範囲】
【請求項１】
背面筐体と、
前記背面筐体に取り付けられたカバーと、
を備え、
前記背面筐体は、前記背面筐体の表面から凹んで形成されて第１背面部を具備する第１凹部と、前記第１凹部に隣接して前記表面から凹んで形成されて第２背面部を具備する第２凹部と、を有し、
前記第２背面部は、前記第１背面部よりも前記表面側に形成され、
前記第１背面部と前記第２背面部との間には、段差部が形成され、
前記カバーには、前記第１凹部及び前記第２凹部を覆って取り付けられた状態で、前記第１凹部内に突出するリブが設けられる配管配置構造。
【請求項２】
前記リブは、前記第１凹部に突出した突出部から繋がって前記第２凹部をまたぐ連結部を有する請求項１に記載の配管配置構造。
【請求項３】
前記リブの前記第１凹部に突出した突出部の中央部には、補強リブが設けられる請求項１又は２に記載の配管配置構造。
【請求項４】
前記リブは、並んで複数設けられる請求項１〜３のいずれか１項に記載の配管配置構造。
【請求項５】
前記第１凹部及び前記第２凹部は、配管収納空間であり、
前記リブは、前記配管収納空間に収納された配管の延出方向と交差する方向に一直線状に延びた板状体である請求項２〜４のいずれか１項に記載の配管配置構造。
【請求項６】
前記第１背面部及び前記第２背面部には、前記配管収納空間に収納された配管の延出方向と交差する方向に延びて形成された突条部が設けられる請求項５に記載の配管配置構造。
【請求項７】
前記第１背面部及び前記第２背面部の少なくとも一方では、弾性反発性の断熱体で覆われた配管が前記突条部に食い込む形状で収納される請求項６に記載の配管配置構造。
【請求項８】
前記第１凹部及び前記第２凹部の少なくとも一方では、弾性反発性の断熱体で覆われた配管が前記リブに食い込む形状で収納される請求項１〜７のいずれか１項に記載の配管配置構造。
【請求項９】
前記リブは、前記第１凹部内に突出した突出部の角を面取りされる請求項１〜８のいずれか１項に記載の配管配置構造。
【請求項１０】
前記第１凹部及び前記第２凹部は、前記第１背面部と前記段差部と前記第２背面部とを繋いだ矩形空間である請求項１〜９のいずれか１項に記載の配管配置構造。
【請求項１１】
請求項１〜１０のいずれか１項に記載の配管配置構造を備える空気調和装置の室内機。
【国際調査報告】
2019155616.tif 000016
2019155616.tif 000017